(57)【特許請求の範囲】
【請求項１】
連接された隣り合う壁パネルの間の目地構造であって、
前記隣り合う壁パネルの間の連接部に沿って前記壁パネルの表面側に形成された凹状の溝部と、
前記溝部内に前記溝部に沿って充填された不定形シーリング材と、
前記壁パネルの裏面側から前記隣り合う壁パネルの間を通り前記不定形シーリング材内を通って少なくとも先端が前記不定形シーリング材の表面側に突出した配線コードと、を有する目地構造。
【請求項２】
前記配線コードは、全周に亘って前記不定形シーリング材と密着した状態で当該不定形シーリング材の内部を貫通している、請求項１に記載の目地構造。
【請求項３】
前記溝部の前記不定形シーリング材の表面側には、前記配線コードを収納するコードカバーが設けられている、請求項１又は２に記載の目地構造。
【請求項４】
前記溝部の不定形シーリング材の表面側の前記コードカバーのない部分には、前記溝部に沿って定形材が設けられている、請求項３に記載の目地構造。
【請求項５】
前記配線コードは、前記溝部に沿って延在している、請求項１〜４のいずれかに記載の目地構造
【請求項６】
前記配線コードの先端部が前記不定形シーリング材に差し込まれている、請求項１〜５のいずれかに記載の目地構造。
【請求項７】
前記配線コードには、前記溝部に嵌め込み可能な機器が接続されている、請求項１〜６のいずれかの記載の目地構造。
【請求項８】
前記嵌め込み可能な機器が前記不定形シーリング材によって接着固定されている、請求項７に記載の目地構造。
【請求項９】
連接された隣り合う壁パネルの間の目地構造の形成方法であって、
前記隣り合う壁パネルの間の連接部に沿って前記壁パネルの表面側に凹状の溝部を形成する工程と、
配線コードを、前記壁パネルの裏面側から前記隣り合う壁パネルの間を通り先端が少なくとも前記溝部に達するように配線する工程と、
前記配線コードが配線された前記溝部内に前記溝部に沿って不定形シーリング材を充填し、前記配線コードの少なくとも先端を前記不定形シーリング材の表面側に突出させる工程と、を有する、目地構造の形成方法。
【請求項１０】
連接された隣り合う壁パネルの間の目地構造の形成方法であって、
前記隣り合う壁パネルの間の連接部に沿って前記壁パネルの表面側に凹状の溝部を形成する工程と、
前記溝部内に前記溝部に沿って不定形シーリング材を充填する工程と、
配線コードを、前記壁パネルの裏面側から前記隣り合う壁パネルの間を通り前記不定形シーリング材内を通って少なくとも先端が前記不定形シーリング材の表面側に突出するように配線する工程と、
前記配線コードと前記不定形シーリング材の間を詰めて、前記配線コードの前記不定形シーリング材を貫通する部分を全周に亘って不定形シーリング材で包囲する工程と、を有する、目地構造の形成方法。
【発明の詳細な説明】
【技術分野】
【０００１】
本発明は、目地構造及び目地構造の形成方法に関する。
【背景技術】
【０００２】
従来より、建物の壁面に、防犯のため監視カメラや照明器具を取り付けたり、建物の美観の向上のため電飾装置を取り付けることが行われている（特許文献１、２参照）。これらの機器は、建物の壁面に予め設けられていることが多いが、建築後の住人の意向や周辺環境の変化等に応じてその設置位置を変更できると都合がよい。
【０００３】
また、建物の壁面にこの種の電子機器や光学機器を取り付ける場合、建物の壁面の所望の位置に建物内部から外側に通じる穴を形成し、その穴に配線コードを通し、その配線コードに機器を接続している。
【先行技術文献】
【特許文献】
【０００４】
【特許文献１】特開２００９−２５２１５１号公報
【特許文献２】特開２０００−１０４３５７号公報
【発明の概要】
【発明が解決しようとする課題】
【０００５】
しかしながら、上述のように壁面に配線コード用の穴をあけると、建物の美観上好ましくない。また、配線コード用の穴から建物内に雨水が入り込みやすくなる。
【０００６】
本発明はかかる点に鑑みてなされたものであり、建物の美観を損なうことなく、雨水が建物内に入らないように建物の壁面に電子機器等の機器を取り付けることをその目的とする。
【課題を解決するための手段】
【０００７】
上記目的を達成するための本発明は、連接された隣り合う壁パネルの間の目地構造であって、前記隣り合う壁パネルの間の連接部に沿って前記壁パネルの表面側に形成された凹状の溝部と、前記溝部内に前記溝部に沿って充填された不定形シーリング材と、前記壁パネルの裏面側から前記隣り合う壁パネルの間を通り前記不定形シーリング材内を通って少なくとも先端が前記不定形シーリング材の表面側に突出した配線コードと、を有する目地構造である。
【０００８】
本発明によれば、隣り合う壁パネルの間の連接部に溝部を形成し、その溝部内に配線コードが配置されるので、配線コードや配線コード用の穴が目立たなくなり、建物の美観を損なうことがない。また、配線コードが、壁パネルの裏面側から表面側に向かって不定形シーリング材内を通るため、配線コードを伝って雨水が建物内に入り込むことを抑制できる。
【０００９】
前記配線コードは、全周に亘って前記不定形シーリング材と密着した状態で当該不定形シーリング材の内部を貫通していることが好ましい。かかる場合、配線コードと不定形シーリング材が密着しており、配線コードと不定形シーリング材との間に隙間が形成されることが無いので、当該配線コードと不定形シーリング材との間から雨水が建物内に入り込むことを確実に防止できる。
【００１０】
前記溝部の前記不定形シーリング材の表面側には、前記配線コードを収納するコードカバーが設けられていてもよい。かかる場合、配線コードがコードカバーに覆われ、これによって壁パネルの表面側に露出しないものとなるので、配線コードの汚染を防止でき、また建物の美観も向上できる。
【００１１】
前記溝部の不定形シーリング材の表面側の前記コードカバーのない部分には、前記溝部に沿って定形材が設けられていてもよい。かかる場合、目地の溝部の必要な部分のみコードカバーを付け、他の部分は定形材で覆うことができる。これにより、溝部内の汚染や、雨水の建物内への浸入をより効果的に防止できる。また、定形材は、取り外しし易いため、必要に応じて所望の位置の定形材を取り外してその位置にコードカバーを追加することもできる。
【００１２】
前記配線コードは、前記溝部に沿って延在していてもよい。かかる場合、配線コードを溝部のある目地に沿って延ばすことができるので、複数の壁パネルからなる建物壁面のおよそ全体に亘って配線コードを配線でき、所望の位置、所望の数の機器を取り付けることができる。特に、壁パネルの裏面側から表面側に配線コードを貫通させた位置から遠くても、建物壁面の所望の位置に機器を取り付けることができる。また、配線コードが溝部内を通るので、建物の美観を損ねることもない。
【００１３】
前記配線コードの先端部が前記不定形シーリング材に差し込まれていてもよい。かかる場合、配線コードが使用されていない時であっても、配線コードの先端断面で露出する配線コード内部の金属線を不定形シーリング材によって容易に防護できるものとなる。
【００１４】
前記配線コードには、前記溝部に嵌め込み可能な機器が接続されていてもよい。かかる場合、機器が溝部に嵌め込まれるので、機器を取り付けた際の美観を向上できる。
【００１５】
前記嵌め込み可能な機器は、前記不定形シーリング材によって接着固定されていてもよい。
【００１６】
別の観点による本発明は、連接された隣り合う壁パネルの間の目地構造の形成方法であって、前記隣り合う壁パネルの間の連接部に沿って前記壁パネルの表面側に凹状の溝部を形成する工程と、配線コードを、前記壁パネルの裏面側から前記隣り合う壁パネルの間を通り先端が少なくとも前記溝部に達するように配線する工程と、前記配線コードが配線された前記溝部内に前記溝部に沿って不定形シーリング材を充填し、前記配線コードの少なくとも先端を前記不定形シーリング材の表面側に突出させる工程と、を有する、目地構造の形成方法である。
【００１７】
別の観点による本発明は、連接された隣り合う壁パネルの間の目地構造の形成方法であって、前記隣り合う壁パネルの間の連接部に沿って前記壁パネルの表面側に凹状の溝部を形成する工程と、前記溝部内に前記溝部に沿って不定形シーリング材を充填する工程と、配線コードを、前記壁パネルの裏面側から前記隣り合う壁パネルの間を通り前記不定形シーリング材内を通って少なくとも先端が前記不定形シーリング材の表面側に突出するように配線する工程と、前記配線コードと前記不定形シーリング材の間を詰めて、前記配線コードの前記不定形シーリング材を貫通する部分を全周に亘って不定形シーリング材で包囲する工程と、を有する、目地構造の形成方法である。
【発明の効果】
【００１８】
本発明によれば、建物の美観を損なうことなく、雨水が建物内に入らないように建物の壁面に各種機器を取り付けることができる。
【図面の簡単な説明】
【００１９】
【図１】目地構造の構成の概略を示す縦断面の説明図である。
【図２】機器を取り付けた目地構造を示す説明図である。
【図３】コードカバーを取り付けた目地構造を示す説明図である。
【図４】コードカバーの斜視図である。
【図５】定形シーリング材を取り付けた目地構造を示す縦断面の説明図である。
【図６】定形シーリング材を取り付けた場合の目地構造を示す外観図である。
【図７】配線コードを目地に沿って延ばす場合の目地構造を示す外観図である。
【図８】配線コードに沿ってコードカバーを取り付けた場合の目地構造を示す外観図である。
【図９】配線コードの先端を不定形シーリング材に差し込んだ状態を示す目地構造の縦断面の説明図である。
【発明を実施するための形態】
【００２０】
以下、図面を参照して、本発明の好ましい実施の形態について説明する。図１は、本実施の形態に係る目地構造１の構成の概略を示す縦断面の説明図である。
【００２１】
目地構造１は、例えば図１に示すように連接された隣り合う外壁パネル１０の間に形成されるものであり、隣り合う外壁パネル１０の間の連接部Ａに沿って外壁パネル１０の表面側に形成された凹状の溝部１１と、溝部１１内の最も奥に溝部１１に沿って充填されたバックアップ材１２と、溝部１１内のバックアップ材１２上に溝部１１に沿って充填された不定形シーリング材１３と、外壁パネル１０の裏面側から隣り合う外壁パネル１０の間を通りバックアップ材１２及び不定形シーリング材１３内を通って先端が不定形シーリング材１３の表面側に突出する配線コード１４と、を有している。なお、図１にて外壁パネル１０よりも上側が外気側であると共に下側が室内側であって、図１中の外壁パネル１０の上面が当該外壁パネル１０の表面側となり、図１中の外壁パネル１０の下面が当該外壁パネル１０の裏面側となる。
【００２２】
外壁パネル１０は、例えば一般的に流通しているＡＬＣ（Autoclaved Light-weight Concrete；軽量気泡コンクリート）からなる方形の板状部材であり、鉄骨造建物の外周部に並べて取り付けられて建物の外壁を構成するものである。外壁パネル１０の他の具体例としては、ＰＣａ板、ＧＲＣ、押出し成形セメント板、窯業系サイディング、金属サイディング、塗装鋼板、金属パネル、ガラス、石材等が挙げられる。
【００２３】
外壁パネル１０の表面側の端縁部は切り欠かれており、複数の外壁パネル１０を連接することによって、それらの連接部Ａに凹状の溝部１１が形成されている。よって、外壁パネル１０を上下左右に並べて連接して建物の外壁を構成した場合、溝部１１は、当該外壁に格子状に形成される。なお、特に図示していないが、溝部１１は、表面側から裏面側に向かうにつれ幅狭になるように、溝部１１の側壁が傾斜したものや階段状に段差が設けられたものであってもよい。
【００２４】
バックアップ材１２は、溝部１１の幅寸法と同じ幅寸法を有し、定形性を有する部材である。バックアップ材１２は、通常使用される発泡ポリオレフィン系の材料や不燃性の無機繊維材料等によって構成することができる。なお、このバックアップ材１２は、必要に応じて設けられ、無くてもよい。
【００２５】
不定形シーリング材１３は、溝部１１内のバックアップ材１２の上に設けられ、隣り合う外壁パネル１０の間の連接部Ａを水密構造とするものである。不定形シーリング材１３としては、外壁パネル１０の材質等に応じて一般的に流通している湿式シーリング材を適宜選択して用いることができる。特にＡＬＣからなる外壁パネル１０に対しては、柔軟性に富み、地震等の外力により変形した際に母材の破壊を生じさせにくい変成シリコン系、アクリルウレタン系、ポリウレタン系等のシーリング材が好ましい。具体例としては、ＪＩＳ Ａ ５７５８：１９９７に規定されるシリコン系、変性シリコン系、ポリサルファイド系、アクリルウレタン系、ポリウレタン系、変性ポリサルファイド系、アクリル系、ＳＢＲ系、ブチルゴム系、ポリイソブチレン系のもの等を挙げることができる。ペースト状の不定形シーリング材１３は、シーリングガン等を用いて溝部１１に打設され、その後、へら等を用いてその表面を加圧することでバックアップ材１２の表面側に密に充填されると同時に表面が平滑に仕上げられている。本実施形態においては、不定形シーリング材１３の厚さ（溝部１１の深さ方向における寸法）は、溝部１１の深さの１／４程度に設定されている。
【００２６】
配線コード１４は、例えば外壁パネル１０の内側に設けられた図示しない電源等に接続されており、隣り合う外壁パネル１０の間からバックアップ材１２及び不定形シーリング材１３内を通って不定形シーリング材１３の表面側に突出している。配線コード１４は、全周に亘って不定形シーリング材１３と密着した状態で不定形シーリング材１３の内部を貫通している。よって、雨水が、配線コード１４と不定形シーリング材１３の間から建物の内部に入り込むことがない。
【００２７】
次に、上記目地構造１の形成方法について説明する。先ず、複数の外壁パネル１０が連接され、外壁パネル１０の表面側に外壁パネル１０の連接部Ａに沿った凹状の溝部１１が形成される。続いて、溝部１１内の底側にバックアップ材１２が設けられる。次に配線コード１４が、外壁パネル１０の裏面側から隣り合う外壁パネル１０の間を通り先端が溝部１１内のバックアップ材１２上に達するように配線される。このとき、バックアップ材１２に予め穴を開けておいてもよいし、配線コード１４により穴を開けながらバックアップ材１２を貫通させてもよい。または、バックアップ材１２の継ぎ目を利用して配線コード１４を貫通させてもよい。
【００２８】
次に、溝部１１内のバックアップ材１２上に不定形シーリング材１３が充填され、配線コード１４の先端を不定形シーリング材１３の表面に突出させる。これにより、配線コード１４は、全周に亘って不定形シーリング材１３と密着した状態で不定形シーリング材１３の内部を貫通する。
【００２９】
その後、必要に応じて、例えば図２に示すように配線コード１４の先端に監視カメラ、照明器具などの電子機器や光学機器などの機器２０が電気的或いは光学的に接続される。機器２０は、例えば溝部１１内に嵌め込まれ納められる。例えばこの時、機器２０を、不定形シーリング材１３が硬化する前に設置することで不定形シーリング材１３に接着固定することができる。
【００３０】
本実施の形態によれば、隣り合う外壁パネル１０の間の連接部Ａに溝部１１を形成し、その溝部１１に配線コード１４が配置されるので、配線コード１４や配線コード１４用の穴が目立たなくなり、建物の美観を損なうことがない。
【００３１】
また、配線コード１４は、全周に亘って不定形シーリング材１３と密着した状態で不定形シーリング材１３の内部を貫通しているので、配線コード１４を伝って雨水が建物内に入り込むことを確実に防止できる。
【００３２】
配線コード１４には、溝部１１に嵌め込み可能な機器２０が接続されているので、機器２０を取り付けた際の美観を向上できる。
【００３３】
上記実施の形態における目地構造１において、図３に示すように溝部１１の不定形シーリング材１３の表面側に、配線コード１４を収納するコードカバー３０が設けられていてもよい。コードカバー３０は、例えば図４に示すように下面が開口した略凹状に形成されている。コードカバー３０は、例えば図３に示すように溝部１１の幅寸法と同じ幅寸法を有し、溝部１１に嵌め込むことができる。この例によれば、配線コード１４が露出しないので、配線コード１４の汚染を防止でき、建物の外観も損なわない。
【００３４】
上記例において、図５に示すように溝部１１の不定形シーリング材１３の表面側のコードカバー３０がない部分に、溝部１１に沿って定形材４０が設けられていてもよい。かかる場合、図６に示すように溝部１１の必要な部分にのみコードカバー３０を取り付け、他の部分は定形材４０で覆うことができる。これにより、溝部１１内の汚染や、雨水の建物内への浸入をより効果的に防止できる。また、定形材４０は、取り外し易いため、必要に応じて所望の位置の定形材４０を取り外してその位置に配線コード１４とコードカバー３０を追加することもできる。
【００３５】
配線コード１４は、図７に示すように溝部１１に沿って延在してもよい。かかる場合、配線コード１４を外壁パネル１０の格子状の目地に沿って延ばすことができるので、複数の外壁パネル１０からなる建物壁面のおよそ全体に亘って配線コード１４を配線でき、所望の位置、所望の数の機器２０を取り付けることができる。特に、外壁パネル１０の裏面側から表面側に配線コード１４を貫通させた位置から遠くても、建物壁面の所望の位置に機器２０を取り付けることができる。また、配線コード１４が溝部１１内（コードカバー３０がある場合には、コードカバー３０内）を通るので、建物の美観を損ねることもない。なお、このとき、配線コード１４は、予め長く溝部１１の不定形シーリング材１３から突出させておいてもよいし、後から配線コードを追加接続して配線コード１４を延ばしてもよい。
【００３６】
かかる例において、図８に示すように溝部１１に配線コード１４に沿ってコードカバー３０を設けるようにしてもよい。こうすることにより、配線コード１４の汚染等を防止できる。また、このとき、コードカバー３０以外の部分には、上述の例のように定形材４０が設けられていてもよい。
【００３７】
また、上記コードカバー３０を設ける例において、コードカバー３０の表面には、外壁パネル１０の表面と同じ塗装が行われるようにしてもよい。かかる場合には、配線コード１４を設けた場合の外壁の美観をさらに向上できる。
【００３８】
図９に示すように配線コード１４の先端部が不定形シーリング材１３に差し込まれていてもよい。配線コード１４を使用する際には、当該配線コード１４の先端部を機器２０に接続する際に不定形シーリング材１３から容易に抜き出すことができるものとなっている。かかる場合、配線コード１４が使用されていない時であっても、配線コード１４の先端断面で露出する配線コード内部の金属線を不定形シーリング材１３によって容易に防護できるものとなる。
【００３９】
上記実施の形態において、溝部１１が形成された後、配線コード１４を配線し、その後不定形シーリング材１３を充填していたが、溝部１１が形成された後、不定形シーリング材１３を充填し、その後、配線コード１４を、外壁パネル１０の裏面側から隣り合う外壁パネル１０の間を通り不定形シーリング材１３内を通って先端が不定形シーリング材１３の表面側に突出するように配線し、その後、配線コード１４と不定形シーリング材１３の間を詰めて、配線コード１４の不定形シーリング材１３を貫通する部分を全周に亘って不定形シーリング材１３で包囲する（密着させる）ようにしてもよい。この方法は、既に不定形シーリング材１３が形成されている建物の外壁に配線コード１４を後付けする際に適している。
【００４０】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４１】
例えば以上の実施の形態において配線コード１４に接続される機器２０の種類は任意に選択できる。例えば機器２０には、太陽光パネル用の機器なども含まれる。また、目地構造を構成する壁パネルは、外壁パネルに限られない。また、複数の配線コード１４を不定形シーリング材１３に貫通させた状態で設けることができるが、この場合であっても、各配線コード１３がそれぞれ全周に亘って不定形シーリング材１４に密着して設けられる。
【産業上の利用可能性】
【００４２】
本発明は、建物の美観を損なうことなく、雨水が建物内に入らないように建物の壁面に各種機器を取り付ける際に有用である。
【符号の説明】
【００４３】
１  目地構造
１０  外壁パネル
１１  溝部
１２  バックアップ材
１３  不定形シーリング材
１４  配線コード
２０  機器
３０  コードカバー
４０  定形材
Ａ  連接部
【図１】
0005789169.tif 000002
【図２】
0005789169.tif 000003
【図３】
0005789169.tif 000004
【図４】
0005789169.tif 000005
【図５】
0005789169.tif 000006
【図６】
0005789169.tif 000007
【図７】
0005789169.tif 000008
【図８】
0005789169.tif 000009
【図９】
0005789169.tif 000010